【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
中心開口を画定する実質的に剛性の周縁フレームと、
前記周縁フレームに結合され、前記中心開口の少なくとも一部に及ぶ実質的に可撓性の背もたれシェルとを備える椅子背もたれアセンブリであって、前記背もたれシェルの第１の部分が、第１の位置で前記フレームに対して固定され、前記背もたれシェルの第２の部分が、前記第１の位置とは異なる第２の位置で前記フレームに対して固定され、前記背もたれシェルの第３の部分が、前記第１の位置と前記第２の位置との間に位置された第３の位置で、少なくとも１つの運動方向で前記フレームに対して制約され、前記背もたれシェルの第４の部分が、前記第３の位置と前記第２の位置との間に位置された第４の位置で、前記フレームに対する制約を受けない
椅子背もたれアセンブリ。
【請求項２】
前記背もたれシェルの前記第１の部分が、前記背もたれシェルの上縁部に実質的に近接して位置される請求項１に記載の椅子背もたれアセンブリ。
【請求項３】
前記背もたれシェルの前記第２の部分が、前記背もたれシェルの下縁部に実質的に近接して位置される請求項１または２に記載の椅子背もたれアセンブリ。
【請求項４】
前記背もたれシェルの前記第４の位置が、着座した使用者の腰部領域を支持するように適合される請求項１から３のいずれか一項に記載の椅子背もたれアセンブリ。
【請求項５】
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記フレームの幅にわたって延在する横方向軸の周りで前記スロット内で枢動可能である請求項１から４のいずれか一項に記載の椅子背もたれアセンブリ。
【請求項６】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項５に記載の椅子背もたれアセンブリ。
【請求項７】
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記背もたれシェルが、前記フック部材を通って延在する垂直軸の周りで枢動可能である請求項５または６に記載の椅子背もたれアセンブリ。
【請求項８】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項５から７のいずれか一項に記載の椅子背もたれアセンブリ。
【請求項９】
前記フック部材が、前記背もたれシェルと一体である請求項５から８のいずれか一項に記載の椅子背もたれアセンブリ。
【請求項１０】
前記第３の位置での前記少なくとも１つの運動方向が、前記フレームに対する前方向を含む請求項１から９のいずれか一項に記載の椅子背もたれアセンブリ。
【請求項１１】
床面に接触するように適合された支持アセンブリと、
前記支持アセンブリに動作可能に結合され、着座した使用者を前記支持アセンブリ上で支持するように適合された座部アセンブリと、
椅子背もたれアセンブリとを備える椅子アセンブリであって、前記椅子背もたれアセンブリが、
中心開口を画定する実質的に剛性の周縁フレームと、
前記周縁フレームに結合され、前記中心開口の少なくとも一部に及ぶ実質的に可撓性の背もたれシェルとを備え、前記背もたれシェルの第１の部分が、第１の位置で前記フレームに対して固定され、前記背もたれシェルの第２の部分が、前記第１の位置とは異なる第２の位置で前記フレームに対して固定され、前記背もたれシェルの第３の部分が、前記第１の位置と前記第２の位置との間に位置された第３の位置で、少なくとも１つの運動方向で前記フレームに対して制約され、前記背もたれシェルが、前記第３の位置と前記第２の位置との間に位置された第４の位置で、前記フレームに対する制約を受けない
椅子アセンブリ。
【請求項１２】
前記背もたれシェルの前記第１の部分が、前記背もたれシェルの上縁部に実質的に近接して位置される請求項１１に記載の椅子アセンブリ。
【請求項１３】
前記背もたれシェルの前記第２の部分が、前記背もたれシェルの下縁部に実質的に近接して位置される請求項１１または１２に記載の椅子アセンブリ。
【請求項１４】
前記背もたれシェルの前記第４の位置が、着座した使用者の腰部領域を支持するように適合される請求項１５に記載の椅子アセンブリ。
【請求項１５】
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記背もたれシェルが、前記フック部材を通って延在する垂直軸の周りで枢動可能である請求項１１から１４のいずれか一項に記載の椅子アセンブリ。
【請求項１６】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項１５に記載の椅子アセンブリ。
【請求項１７】
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記背もたれシェルが、前記フック部材を通って延在する垂直軸の周りで枢動可能である請求項１５または１６に記載の椅子アセンブリ。
【請求項１８】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項１５から１７のいずれか一項に記載の椅子アセンブリ。
【請求項１９】
前記フック部材が、前記背もたれシェルと一体である請求項１５から１８のいずれか一項に記載の椅子アセンブリ。
【請求項２０】
前記第３の位置での前記少なくとも１つの運動方向が、前記フレームに対する前方向を含む請求項１１から１９のいずれか一項に記載の椅子アセンブリ。
【請求項２１】
前記背もたれシェルの前記第４の位置に当接し、着座した使用者の腰部領域を支持するように適合された腰部支持アセンブリ
をさらに備える請求項１１から２０のいずれか一項に記載の椅子アセンブリ。
【請求項２２】
床面に接触するように適合された支持アセンブリと、
前記支持アセンブリに動作可能に結合され、着座した使用者を前記支持アセンブリ上で支持するように適合された座部アセンブリと、
椅子背もたれアセンブリとを備える椅子アセンブリであって、前記椅子背もたれアセンブリが、
中心開口、および前記中心開口の少なくとも一部の周りに延在する凹部を画定する実質的に剛性の周縁フレームと、前記周縁フレームに結合され、前記中心開口の少なくとも一部に及ぶ実質的に可撓性の背もたれシェルとを備え、前記背もたれシェルの第１の部分が、第１の位置で前記フレームに対して固定され、前記背もたれシェルの第２の部分が、前記第１の位置とは異なる第２の位置で前記フレームに対して固定され、前記背もたれシェルが、前記第１の位置と前記第２の位置との間に位置された第３の位置で、前記フレームに対する制約を受けず、前記背もたれシェルが、前記フレームの前記凹部内に位置決めされる
椅子アセンブリ。
【請求項２３】
前記背もたれシェルが、前記第１の位置と前記第２の位置との間に位置された第４の位置で少なくとも１つの運動方向で前記フレームに対して制約される請求項５３に記載の椅子アセンブリ。
【請求項２４】
前記背もたれシェルの前記第１の部分が、前記背もたれシェルの上部に近接して位置され、前記背もたれシェルの前記第２の部分が、前記背もたれシェルの底部に近接して位置される請求項５３または５４に記載の椅子アセンブリ。
【請求項２５】
前記凹部が、前記中心開口の全周にわたって延びる請求項５３から５５のいずれか一項に記載の椅子アセンブリ。
【請求項２６】
椅子背もたれアセンブリが直立位置とリクライニング位置との間で移動可能であり、前記背もたれアセンブリが前記直立位置と前記リクライニング位置との間で移動されるときに、前記背もたれシェルの前記第３の位置が前記フレームに対して移動する請求項５３から５６のいずれか一項に記載の椅子アセンブリ。